【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
ケーブル（２１）を引き込み、搬送するためにピボット可能に設置されたケーブル搬送機（１）と、
ピボット軸線（４）を中心にして一つのケーブル搬送機（１）のピボット運動を正確にするためにベースフレーム（２）に固定設置された第１駆動手段（３）と、
回転軸線（８、９）が相互にはもちろん共通ピボット軸線（４）に対しても平行な少なくとも２個の加圧ローラ（６、７）を同期して協働させるための第２駆動手段（５）であって、少なくとも１個の加圧ローラ（７）が横方向に調節可能に配置される、第２駆動手段（５）と、
を備えるケーブル搬送装置において、
ケーブル搬送機（１）の加圧ローラ（６、７）のために駆動軸（１０）を有する第２駆動手段（５）がベースフレーム（２）に固定され、
第２駆動手段（５）の駆動軸（１０）がケーブル搬送機（１）のピボット軸線（４）と一致する、
ことを特徴とするケーブル搬送装置。
【請求項２】
ケーブル（２１）を引き込み、搬送するためにピボット可能に設置されたケーブル搬送機（１）と、
ピボット軸線（４）を中心にして一つのケーブル搬送機（１）のピボット運動を正確にするためにベースフレーム（２）に固定設置された第１駆動手段（３）と、
回転軸線（８、９）を有する少なくとも２個の加圧ローラ（６、７）を同期して協働させるための第２駆動手段（５）であって、少なくとも１個の加圧ローラ（７）が横方向に変位可能に配置される、第２駆動手段（５）と、
を備えるケーブル搬送装置において、
ケーブル搬送機（１）の加圧ローラ（６、７）のために駆動軸（１０）を有する第２駆動手段（５）がベースフレーム（２）に固定され、
回転軸線（８、９）が相互にはもちろん共通ピッチ軸線（３１）にも平行し、
ピボット運動が歯付きベルト（３２）を介して伝達され、歯付きベルト（３２）は第１中間軸（３４）と第２中間軸（３５）間で第１駆動手段のピボット軸線（４）の回転中心（３３）に対称に張られ、第１中間軸（３４）はケーブル搬送機（１）の基板（１３）に配置され、第２中間軸（３５）は装置のフレームに固定され、ケーブル搬送機（１）のピッチ軸線（３１）は第１中間軸（３４）と一致する、
ことを特徴とするケーブル搬送装置。
【請求項３】
前記加圧ローラ（６）が回転軸線（８）を中心にしてケーブル搬送機（１）の基板（１３）に回転可能に設置されて、前記加圧ローラ（７）も回転軸線（９）を中心にして調節板（２０）に回転可能に設置されて、回転軸線（８、９）は互いにケーブルの反対側に設置されて、ケーブル長さを測定するための計測ホイール（２２）がケーブルに直接触れ合うように二個の加圧ローラ（７）間に配置されて、カウンターホイール（２３）がケーブルに直接触れ合うように二個の加圧ローラ（６）間に配置されることを特徴とする請求項１または２に記載のケーブル搬送装置。
【請求項４】
第２駆動手段（５）の駆動軸（１０）に設置された第２駆動ベルトスプロケット（２４）に両面歯付きベルト（２５）を介して連結したベルトスプロケット（６’、７’）がケーブル搬送機（１）の基面で加圧ローラ（６、７）の回転軸線（８、９）に設置されて、
前記歯付きベルト（２５）は駆動ベルトスプロケット（２４）の回転を調節板（２０）に設置された加圧ローラ（７）に伝達して、
加圧ローラ（６）のベルトスプロケット（６’）と加圧ローラ（７）のベルトスプロケット（７’）間に前記歯付きベルト（２５）が対角線に張られ、加圧ローラ（６）の反時計方向回転と加圧ローラ（７）の時計方向回転を起こすことを特徴とする請求項１ないし３のいずれか一つに記載のケーブル搬送装置。
【請求項５】
ケーブル（２１）を挿入するために、ケーブル搬送機（１）の基板（１３）から調節板（２０）が離れるようにして、加圧ローラ（６、７）間にケーブル（２１）を挿入した後、機械式エネルギー蓄積器（２８）や圧縮空気を利用して加圧ローラ（６、７）と計測ホイール（２２）とカウンターホイール（２３）がケーブル（２１）を加圧する位置まで調節板（２０）が移動して、
駆動軸（１０）やピッチ軸線（３１）で調節板（２０）と共にケーブル搬送機（１）の基板（１３）が共にピボットするように設置されることを特徴とする請求項１ないし４のいずれか一つに記載のケーブル搬送装置。
【請求項６】
ケーブル（２１）の圧力を圧力機構（２７）で調節するが、調節板（２０）に固定された加圧ローラ（７）をケーブル搬送機（１）の基板（１３）に設置された加圧ローラ（６）に対して動かして調節することを特徴とする請求項１ないし５のいずれか一つに記載のケーブル搬送装置。
【請求項７】
前記圧力機構（２７）が機械式エネルギー蓄積器（２８）やスプリングが付いている空圧シリンダーで構成されて、移動式連結案内部を介して偏心レバー（３０）に連結されて、偏心レバーの形状は加圧ローラ（６、７）間隔が減れば圧力も減るように選択されることを特徴とする請求項６に記載のケーブル搬送装置。
【請求項８】
ピボット動作のうちにケーブル（２１）が前進と後退ができないように、加圧ローラ（６、７）の回転を担当する第２駆動ベルトスプロケット（２４）が第１駆動手段（３）の第１駆動ベルトスプロケット（１９）と同じ方向に回転することを特徴とする請求項４ないし７のいずれか一つに記載のケーブル搬送装置。
【請求項９】
前記加圧ローラ（６、７）がスプロケット形態で、加圧ローラ（６）は第１加圧ローラ対（３６）を形成して、加圧ローラ（７）は第２加圧ローラ対（３７）を形成して、第１加圧ローラ対（３６）には第１歯付きベルト（３８）が巻かれていて、第２加圧ローラ対（３７）には第２歯付きベルト（３９）が巻かれていて、第１及び第２歯付きベルト（３８、３９）間にケーブル（２１）が摩擦接触により搬送されることを特徴とする請求項１ないし３及び５ないし８のいずれか一つに記載のケーブル搬送装置。
【請求項１０】
ケーブル（２１）の案内スリーブ（２６）をさらに含んで、この案内スリーブ（２６）は溝板（４１）と蓋板（４０）で構成されるが、これら溝板と蓋板は多くの直径のケーブル（２１）を収容してケーブルの位置を校正するために交換が可能であり、このためにさまざまな形状の溝が形成されたことを特徴とする請求項１ないし９のいずれか一つに記載のケーブル搬送装置。
【請求項１１】
前記蓋板（４０）や溝板（４１）に穴が形成されていて、この穴を介してケーブル刻印機をケーブル（２１）に接近させることができることを特徴とする請求項１０に記載のケーブル搬送装置。
【請求項１２】
ケーブル（２１）の案内スリーブ（２６）をさらに含んで、この案内スリーブ（２６）が２個のチャネル要素で構成されるが、一番目のチャネル要素（４４）はケーブル搬送機（１）の基板（１３）に固定されて、二番目のチャネル要素（４５）は調節板（２０）に固定され、ケーブルそれぞれの幅に合うようになっている案内チャネル（４３）が基板と調節板間の間隔で構成されるが、この間隔はケーブルにより決定されることを特徴とする請求項３ないし９のいずれか一つに記載のケーブル搬送装置。
【請求項１３】
ケーブル（２１）の案内スリーブ（２６）をさらに含んで、この案内スリーブ（２６）が２個のチャネル要素で構成されるが、一番目のチャネル要素（４４）は調節板（２０）に固定されて、二番目のチャネル要素（４５）はケーブル搬送機（１）の基板（１３）に固定され、ケーブルそれぞれの幅に合うようになっている案内チャネル（４３）が基板と調節板間の間隔で構成されるが、この間隔はケーブルにより決定されることを特徴とする請求項３ないし９のいずれか一つに記載のケーブル搬送装置。
【請求項１４】
ケーブル搬送機（１）の基板（１３）と調節板（２０）がケーブル（２１）を中心にして相互に対して動くことを特徴とする請求項１２または１３に記載のケーブル搬送装置。
【請求項１５】
ケーブル搬送機（１）の基板がピッチ軸線（３１）の回転ベアリングを介してピボット軸線（４）に連結されて、ピッチ軸線（３１）がピボット軸線（４）と交差することを特徴とする請求項１ないし１４のいずれか一つに記載のケーブル搬送装置。
【請求項１６】
ピボット軸線（４）に半円型ピボット板（１１）が水平に設置されて、このピボット板（１１）はピッチ軸線（３１）の回転ベアリングを介してケーブル搬送機（１）の基板（１３）に連結されることを特徴とする請求項１５に記載のケーブル搬送装置。
【請求項１７】
ピボット軸線（４）に半円型ピボット板（１１）が水平に設置されて、このピボット板（１１）はピッチ軸線（３１）の回転ベアリングを介してケーブル搬送機（１）の基板（１３）に連結されて、どの場合にもピボット板（１１）の二個の外周辺に歯付き型ベルト（１６）の両端部（１４、１５）が固定されるが、歯付き型ベルト（１６）は最初端部（１４）から始まり、ベルト変形スプロケット（１７）と駆動手段（３）の第１駆動軸１８に設置されたベルト駆動スプロケット（１９）を経て、半円型ピボット板（１１）の外周辺をすぎて二番目の端部（１５）までつながることを特徴とする請求項１ないし１４のいずれか一つに記載のケーブル搬送装置。
【請求項１８】
前記ピッチ軸線（３１）がピボット軸線（４）と交差することを特徴とする請求項１７に記載のケーブル搬送装置。